(57)【要約】  【課題】  １項目単位で項目を変更する場合に比して、容易に所要の項目を特定することができる画像表示装置を提供する。  【解決手段】  複数の項目を含むメニュー画像の投射光を被投射体に投射する投射光学系１６を備える画像表示装置１に、複数の項目を配列した項目列から、所定数の隣する項目からなる項目列部分を選択し、選択した項目列部分を含むメニュー画像を作成するメニュー画像作成部１２ａと、項目列部分の変更を受け付けるための十字キー１７ｂとを備え、メニュー画像作成部１２ａは、十字キー１７ｂの操作に応じて、選択した項目列部分に２以上隣する項目を含む項目列部分を選択し、選択した項目列部分を含むメニュー画像を作成するように構成する。【選択図】        図１
2006099470.tif 000002
【特許請求の範囲】
【請求項１】
複数の項目を含むメニュー画像を表示する画像表示装置において、
複数の項目を配列した項目列から、所定数の隣する項目からなる項目列部分を選択する選択手段と、
該選択手段が選択した項目列部分を含むメニュー画像を表示する表示手段と、
前記選択手段が選択した項目列部分の変更を受け付ける受付手段と
を備え、
前記選択手段は、
前記受付手段が変更を受け付けた場合、選択した項目列部分に２以上隣する項目を含み、前記所定数の隣する項目からなる項目列部分を選択する手段を備える
ことを特徴とする画像表示装置。
【請求項２】
メニュー画像が含む項目列部分に隣する項目を、前記項目列が有しているか否かを判定する判定手段を備え、
前記表示手段は、
前記判定手段が隣する項目を有していると判定した場合、前記項目列部分に隣する項目の方向を示す方向指示画像を含むメニュー画像を表示するようにしてある
ことを特徴とする請求項１に記載の画像表示装置。
【請求項３】
前記受付手段は、
前記方向指示画像の選択により、項目列部分の変更を受け付けるようにしてある
ことを特徴とする請求項２に記載の画像表示装置。
【請求項４】
前記表示手段は、
垂直方向又は水平方向に項目列部分の項目を配列し、項目列部分の一端側又は両端側に固定項目を含むメニュー画像を表示するようにしてある
ことを特徴とする請求項１乃至請求項３のいずれか一つに記載の画像表示装置。
【請求項５】
画像のデータが入力される入力部を備え、
前記表示手段は、
前記入力部に入力されたデータに係る画像に、前記選択手段が選択した項目列部分を含むメニュー画像を合成する合成手段と、
該合成手段が合成した画像を表す情報に従って変調光を生成する空間光変調手段と、
該空間光変調手段が生成した変調光を被投射体へ投射する手段と
を備える
ことを特徴とする請求項１乃至請求項４のいずれか一つに記載の画像表示装置。
【発明の詳細な説明】
【技術分野】
【０００１】
本発明は、画像表示装置に関し、特に複数の項目を含むメニュー画像を表示する画像表示装置に関する。
【背景技術】
【０００２】
従来の画像表示装置、例えばプロジェクタは、複数の項目、及び該項目を選択するためのカーソルを含むメニュー画像を作成し、作成したメニュー画像を合成部へ出力するメニュー画像作成部を備えている。複数の項目は、例えば表示する画像の明るさ、コントラスト等の調整対象を示しており、すべての項目はメニュー画像に配列されている。
【０００３】
合成部は、入力部を備えており、入力部に入力された画像に、メニュー画像作成部から出力されたメニュー画像を合成、例えばＯＳＤ（Ｏｎ  Ｓｃｒｅｅｎ  Ｄｉｓｐｌａｙ）に係る合成を行う。また、画像表示装置は、合成部で合成された画像の変調光、即ち投射光を生成する空間光変調部と、生成した変調光を被投射体に投射する投射光学系とを更に備えている。
【０００４】
このように構成される画像表示装置においては、複数の項目を含むメニュー画像に係る変調光が被投射体に投射され、前記メニュー画像が被投射体に表示される。
【０００５】
ところが、画像の表示範囲は物理的に限定されているため、項目数が増加する程、メニュー画像にすべての項目を含ませることが困難となる。また、項目数が増加する程、所要の項目を特定することがより困難となり、操作性が低下するという問題があった。
【０００６】
この問題を受け、複数の項目の一部を含むメニュー画像を表示し、項目の変更を受け付けた場合、項目を１項目単位でスクロールさせることにより、一括表示できない項目を区分けして表示することができる画像表示装置が提案されている。
【特許文献１】特開平４−３５１７２号公報
【発明の開示】
【発明が解決しようとする課題】
【０００７】
しかしながら、従来の画像表示装置においては、１項目単位でスクロールさせることにより、メニュー画像の項目を変更するため、複数の項目を変更して表示させるためには項目列部分の変更操作を繰り返し行う必要があり、所要の項目の特定に手間取るという問題があった。
【０００８】
また、連続的に変更操作を行うことによりメニュー画像の項目を変更する場合、メニュー画像上を項目が連続的に移動するため、各項目を視認することが困難となり、所要の項目を見逃す恐れがあった。所要の項目を見逃して項目を変更した場合、項目を逆方向にスクロールさせる必要がある。従って、連続的に項目を変更する場合においても、所要の項目の特定に手間取るという問題があった。
【０００９】
本発明は、斯かる事情に鑑みてなされたものであり、項目列から選択された項目列部分を含むメニュー画像を表示し、項目列部分の変更を受け付けた場合、前記項目列部分から更に２以上隣する項目を含む項目列部分を表示するように構成することにより、適宜数毎に変更された項目を含む項目列部分から所要の項目を特定することができる画像表示装置を提供することを目的とする。
【００１０】
また、メニュー画像に表示されている項目列部分から更に隣する非表示の項目がある場合、隣する項目の方向を示す方向指示画像を含むメニュー画像を表示するように構成することにより、非表示の項目が隣する方向を示すことができる画像表示装置を提供することを他の目的とする。
【００１１】
更に、前記方向指示画像の選択により項目列部分の変更を受け付けるように構成することにより、項目列部分を感覚的に変更することができる画像表示装置を提供することを他の目的とする。
【００１２】
更にまた、項目列部分の項目を水平方向又は垂直方向に配列し、項目列の一端側又は両端側に固定項目を含むメニュー画像を表示するように構成することにより、項目列部分の変更に関わらず固定項目を常時表示することができる画像表示装置を提供することを他の目的とする。
【００１３】
更にまた、入力された画像に、上述のメニュー画像を合成し、合成した画像の変調光を被投射体に投射するように構成することにより、投射されたメニュー画像の項目列部分の変更及び項目の特定を行うことができる画像表示装置を提供することを他の目的とする。
【課題を解決するための手段】
【００１４】
本発明に係る画像表示装置は、複数の項目を含むメニュー画像を表示する画像表示装置において、複数の項目を配列した項目列から、所定数の隣する項目からなる項目列部分を選択する選択手段と、該選択手段が選択した項目列部分を含むメニュー画像を表示する表示手段と、前記選択手段が選択した項目列部分の変更を受け付ける受付手段とを備え、前記選択手段は、前記受付手段が変更を受け付けた場合、選択した項目列部分に２以上隣する項目を含み、前記所定数の隣する項目からなる項目列部分を選択する手段を備えることを特徴とする。
【００１５】
本発明にあっては、所定数の隣する項目からなる項目列部分を項目列から選択し、選択された項目列部分を含むメニュー画像を表示手段が表示する。そして、受付手段が項目列部分の変更を受け付けた場合、選択された項目列部分に２以上隣する項目を含む項目列部分を選択し、選択した項目列部分を含むメニュー画像を表示手段が表示する。つまり、変更を受け付けた場合、新たに適宜数の項目が変更されて表示される。
【００１６】
本発明に係る画像表示装置は、メニュー画像が含む項目列部分に隣する項目を、前記項目列が有しているか否かを判定する判定手段を備え、前記表示手段は、前記判定手段が隣する項目を有していると判定した場合、前記項目列部分に隣する項目の方向を示す方向指示画像を含むメニュー画像を表示するようにしてあることを特徴とする。
【００１７】
本発明にあっては、メニュー画像に表示されている項目列部分に隣する非表示の項目を、項目列が有している場合、項目の隣する方向を方向指示画像により示す。つまり、メニュー画像に表示されている項目列部分から更に隣する非表示の項目の存在を方向指示画像により示す。
【００１８】
本発明に係る画像表示装置は、前記受付手段が、前記方向指示画像の選択により、項目列部分の変更を受け付けるようにしてあることを特徴とする。
【００１９】
本発明にあっては、受付手段が方向指示画像の選択により、項目列部分の変更を受け付ける。つまり、方向指示画像の選択により変更を受け付けた場合、方向指示画像で示された方向に隣する項目を含むメニュー画像が作成されて表示される。
【００２０】
本発明に係る画像表示装置は、前記表示手段が、垂直方向又は水平方向に項目列部分の項目を配列し、項目列部分の一端側又は両端側に固定項目を含むメニュー画像を表示するようにしてあることを特徴とする。
【００２１】
本発明にあっては、垂直方向又は水平方向に配列した項目列部分の一端側又は両端側に固定項目を含むメニュー画像を表示手段が表示する。従って、項目列部分の変更に関わらず、固定項目は、常時項目列部分の一端側又は両端側に表示される。
【００２２】
本発明に係る画像表示装置は、画像のデータが入力される入力部を備え、前記表示手段は、前記入力部に入力されたデータに係る画像に、前記選択手段が選択した項目列部分を含むメニュー画像を合成する合成手段と、該合成手段が合成した画像を表す情報に従って変調光を生成する空間光変調手段と、該空間光変調手段が生成した変調光を被投射体へ投射する手段とを備えることを特徴とする。
【００２３】
本発明にあっては、入力部から入力されたデータに係る画像に、上述のメニュー画像を合成し、合成した画像の変調光を被投射体に投射して表示する。変調光は、合成された画像が被投射体に表示されるように、振幅及び伝播方向等を変調した光である。
【発明の効果】
【００２４】
本発明に係る画像表示装置にあっては、項目を適宜数毎に変更し、変更された適宜数の項目から所要の項目を特定することができる。
【００２５】
本発明に係る画像表示装置にあっては、メニュー画像に非表示の項目が隣する方向を方向指示画像により示すことができる。
【００２６】
本発明に係る画像表示装置にあっては、方向指示画像を選択することにより、項目列部分を感覚的に変更することができる。
【００２７】
本発明に係る画像表示装置にあっては、項目列部分の変更に関わらず固定項目を常時表示することができる。
【００２８】
本発明に係る画像表示装置にあっては、被投射体に投射されたメニュー画像の項目列部分の変更及び項目の特定を行うことができる。
【発明を実施するための最良の形態】
【００２９】
以下、本発明をその実施の形態を示す図面に基づいて詳述する。
【００３０】
図１は本発明に係る画像表示装置を模式的に示すブロック図、図２は画像表示装置が表示するメニュー画像を作成するための項目列と、固定項目とを示す模式図、図３は画像表示装置が表示するメニュー画像の模式図である。図中１は、本発明に係る画像表示装置の一例であるプロジェクタであり、画像表示装置１は、メニュー画像２の作成及び合成の処理を行う画像処理部１２と、画像処理部１２の合成及び作成の処理を制御する制御部１０とを備えている。
【００３１】
画像処理部１２は、メニュー画像２を作成するメニュー画像作成部１２ａ（選択手段）を備えており、メニュー画像作成部１２ａには第１メモリ１２ｂ、第２メモリ１２ｃ、第３メモリ１２ｄ及び合成部１２ｅが接続している。第１メモリ１２ｂは、本発明に係るメニュー画像２を作成するために必要なキャラクタ、下矢印２１（方向指示画像）、上矢印２２（方向指示画像）、カーソル２３等の部品画像を記憶する不揮発性のメモリであり、第２メモリ１２ｃ及び第３メモリ１２ｄは、メニュー画像２を作成する際に使用する揮発性メモリである。
【００３２】
メニュー画像作成部１２ａは、第１メモリ１２ｂが記憶する前記部品画像に基づいて、複数の項目Ａ、Ｂ・・・Ｌ、Ｍを配列した項目列２０と、固定項目ａ、ｂ、ｃ、ｄとを作成し、作成した項目列２０及び固定項目ａ、ｂ、ｃ、ｄを第２メモリ１２ｃに書き込む機能を有する。項目Ａ、Ｂ・・・Ｌ、Ｍ、及び固定項目ａ、ｂ、ｃ、ｄは、例えば表示する画像のコントラスト、明度、色相、彩度、赤・青・緑の階調、シャープネス、光源１４の明るさ、色温度等の調整対象を示している。
【００３３】
また、メニュー画像作成部１２ａは、図３（ａ）に示すように項目Ａ、Ｂ・・・Ｇよりなる第１項目列部分２０ａを第２メモリ１２ｃが記憶する項目列２０から抽出する。そしてメニュー画像作成部１２ａは、抽出した第１項目列部分２０ａ、並びに第１メモリ１２ｂから読み出した固定項目ａ、ｂ、ｃ、ｄ、下矢印２１、及び各項目を選択するカーソル２３を含むメニュー画像２を作成し、作成したメニュー画像２を第３メモリ１２ｄに書き込む機能を有する。メニュー画像２中、第１項目列部分２０ａの一方の端部には固定項目ａ、ｂが配列し、第１項目列部分２０ａの他方の端部には固定項目ｃ、ｄが配列している。項目を選択するためのカーソル２３は、各項目のいずれか、例えば項目Ｃの部分に表示されており、項目Ｇと固定項目ｃとの間には下矢印２１の画像が配置されている。下矢印２１は項目Ｇに隣する非表示の項目Ｈ、項目Ｉ等があることを示している。第３メモリ１２ｄに書き込まれたメニュー画像２のデータは、合成部１２ｅへ出力される。
【００３４】
更に、メニュー画像作成部１２ａは、図３（ｂ）に示すように項目Ｇ、Ｈ・・・Ｍよりなる第２項目列部分２０ｂを第２メモリ１２ｃが記憶する項目列２０から抽出する。そして、抽出した第２項目列部分２０ｂ、並びに第１メモリ１２ｂから読み出した固定項目ａ、ｂ、ｃ、ｄ、上矢印２２、及び各項目を選択するカーソル２３を含むメニュー画像２を作成し、作成したメニュー画像２を第３メモリ１２ｄに書き込む機能を有する。メニュー画像２中、第２項目列部分２０ｂの一方の端部には固定項目ａ、ｂが配列し、第１項目列部分２０ａの他方の端部には固定項目ｃ、ｄが配列している。固定項目ｂと項目Ｇとの間には上矢印２２の画像が配置されており、上矢印２２は項目Ｇに隣する非表示の項目Ｆ、項目Ｅがあることを示している。
【００３５】
合成部１２ｅは、画像のデータを出力する電子計算機のような外部装置Ｐに接続し、画像のデータが入力される入力部１１を備えており、入力部１１に入力したデータに係る画像と、メニュー画像作成部１２ａから出力された画像とを合成し、合成した画像のデータを空間光変調部１３へ出力する。入力部１１は、例えばＵＳＢ、ＩＥＥＥ１３９４規格のインタフェース、入出力コントローラ等を備えている。
【００３６】
空間光変調部１３は、液晶パネルを備えており、液晶パネルに光源１４からの光が集光光学系１５を通じて入射するように構成されている。光源１４は、キセノンランプ又は超高圧水銀ランプ等を備えており、光源１４からの光は集光光学系１５に入射する。集光光学系１５は、カラーフィルタ、レンズ又はプリズム等を用いてなり、光源１４からの光の集光、偏向、色分離等を行う。液晶パネルは、合成部１２ｅから出力されたデータに係る画像の各ドットに対応付けられた画素に、画像の各ドットの画像を表示し、液晶パネルを透過して変調した光、即ち変調光は、投射光学系１６に入射する。
【００３７】
投射光学系１６は、変調光を投射するための投射レンズ、焦点を調整する焦点調整レンズ、及び投射される変調光の広がりを調整するズームレンズ等を備えており、入射した変調光は各レンズを通じて被投射体に投射され、その結果、変調光に係る画像が被投射体に表示される。また、投射光学系１６は、焦点調整レンズ及びズームレンズを光軸方向へ移動させるアクチュエータを備えており、制御部１０はアクチュエータによる焦点調整レンズ及びズームレンズの移動を制御して、被投射体に表示される画像のピント調整、ズーム調整等を行う。
【００３８】
制御部１０は、ＣＰＵ、入出力装置等を備えたマイクロコンピュータであり、メニュー画像作成部１２ａ、空間光変調部１３、投射光学系１６等の動作を制御するためのプログラムを記憶するＲＯＭ１０ａと、一時記憶用のＲＡＭ１０ｂとが接続されている。また制御部１０の入出力端子には、メニューボタン１７ａ、十字キー１７ｂ（受付手段）、決定ボタン１７ｃ、キャンセルボタン１７ｄ、及び電源スイッチ１７ｅが接続されており、各種ボタン、スイッチ等の操作状態は制御部１０により検出されるように構成されている。
【００３９】
図４は、メニュー画像２の表示に係る制御部１０の処理手順を示すフローチャートである。電源スイッチ１７ｅがオンになった場合、制御部１０は、メニューフラグＦに０を設定する（ステップＳ１）。メニューフラグＦは、メニュー画像２を表示している状態か否かを示している。
【００４０】
次いで、制御部１０は、メニューフラグＦが０であるか否かを判定する（ステップＳ２）。メニューフラグＦが０であると判定した場合（ステップＳ２：ＹＥＳ）、制御部１０は、メニューボタン１７ａの操作状態を検出して、メニューボタン１７ａがオンの状態にあるか否かを判定する（ステップＳ３）。メニューボタン１７ａがオンの状態にあると判定した場合（ステップＳ３：ＹＥＳ）、制御部１０は、メニューフラグＦに１を設定する（ステップＳ４）。そして、制御部１０は、項目列２０から第１項目列部分２０ａを抽出し、第１項目列部分２０ａと、項目Ａを選択したカーソル２３と、下矢印２１とを含むメニュー画像２を作成する（ステップＳ５）。
【００４１】
ステップＳ２においてメニューフラグＦが０でないと判定した場合（ステップＳ２：ＮＯ）、制御部１０は、メニュー画像２の項目選択に係るサブルーチンを呼び出し、項目選択に係る処理を実行する（ステップＳ６）。次いで、制御部１０は、キャンセルボタン１７ｄの操作状態を検出し、キャンセルボタン１７ｄがオンの状態にあるか否かを判定する（ステップＳ７）。キャンセルボタン１７ｄがオンの状態にあると判定した場合（ステップＳ７：ＹＥＳ）、制御部１０は、メニューフラグＦに０を設定し（ステップＳ８）、合成部１２ｅへのメニュー画像２のデータ出力を停止する（ステップＳ９）。
【００４２】
ステップＳ５若しくはステップＳ９の処理を終えた場合、ステップＳ３においてメニューボタン１７ａがオンの状態にないと判定した場合（ステップＳ３：ＮＯ）、又はキャンセルボタン１７ｄがオンの状態にないと判定した場合（ステップＳ７：ＮＯ）、制御部１０は、入力部１１に入力されたデータに係る画像に、メニュー画像作成部１２ａから出力されるデータに係る画像、特にメニュー画像２を合成する（ステップＳ１０）。メニュー画像作成部１２ａからデータが出力されていない場合、入力部１１に入力された画像のデータがそのまま空間光変調部１３へ出力される。
【００４３】
ステップＳ１０の処理を終えた場合、制御部１０は、合成部１２ｅから出力される画像のデータに基づいて変調光を生成し、変調光を被投射体に投射する（ステップＳ１１）。次いで、制御部１０は、電源スイッチ１７ｅの操作状態を検出し、電源スイッチ１７ｅがオンの状態にあるか否かを判定する（ステップＳ１２）。電源スイッチ１７ｅがオンの状態にあると判定した場合（ステップＳ１２：ＹＥＳ）、制御部１０は、処理をステップＳ２へ戻す。電源スイッチ１７ｅがオンの状態にないと判定した場合（ステップＳ１２：ＮＯ）、制御部１０は、処理を終了する。
【００４４】
図５は、メニュー画像２の項目選択に係るサブルーチンの処理手順を示すフローチャートである。ステップＳ６において項目選択に係るサブルーチンを呼び出した場合、制御部１０は、十字キー１７ｂの操作状態を検出し、十字キー１７ｂの下ボタンがオンの状態にあるか否かを判定する（ステップＳ１００）。
【００４５】
下ボタンがオンの状態にあると判定した場合（ステップＳ１００：ＹＥＳ）、制御部１０は、下矢印２１を含むメニュー画像２中でカーソル２３が項目Ｇを選択した状態にあるか否かを判定する（ステップＳ１０１）。下矢印２１を含むメニュー画像２中でカーソル２３が項目Ｇを選択した状態にあると判定した場合（ステップＳ１０１：ＹＥＳ）、制御部１０は、メニュー画像２中を項目が上方向にスクロールするようにメニュー画像２を作成し、次いで、項目列２０から第２項目列部分２０ｂを抽出し、第２項目列部分２０ｂと、上矢印２２と、項目Ｈを選択したカーソル２３とを含むメニュー画像２を作成する（ステップＳ１０２）。下矢印２１を含むメニュー画像２中でカーソル２３が項目Ｇを選択した状態にないと判定した場合（ステップＳ１０１：ＮＯ）、制御部１０は、カーソル２３を下方の項目へ移動させたメニュー画像２を作成する（ステップＳ１０３）。
【００４６】
ステップＳ１０２若しくはステップＳ１０３の処理を終えた場合、又はステップＳ１００において下ボタンがオンの状態にないと判定した場合（ステップＳ１００：ＮＯ）、制御部１０は、十字キー１７ｂの操作状態を検出し、十字キー１７ｂの上ボタンがオンの状態にあるか否かを判定する（ステップＳ１０４）。上ボタンがオンの状態にあると判定した場合（ステップＳ１０４：ＹＥＳ）、制御部１０は、上矢印２２を含むメニュー画像２中でカーソル２３が項目Ｇを選択した状態にあるか否かを判定する（ステップＳ１０５）。上矢印２２を含むメニュー画像２中でカーソル２３が項目Ｇを選択した状態にあると判定した場合（ステップＳ１０５：ＹＥＳ）、制御部１０は、メニュー画像２中を項目が下方向にスクロールするようにメニュー画像２を作成し、次いで、項目列２０から第１項目列部分２０ａを抽出し、第１項目列部分２０ａと、下矢印２１と、項目Ｆを選択したカーソル２３とを含むメニュー画像２を作成する（ステップＳ１０６）。上矢印２２を含むメニュー画像２中でカーソル２３が項目Ｇを選択した状態にないと判定した場合（ステップＳ１０５：ＮＯ）、制御部１０は、カーソル２３を上方の項目へ移動させたメニュー画像２を作成する（ステップＳ１０７）。
【００４７】
ステップＳ１０６若しくはステップＳ１０７の処理を終えた場合、又はステップＳ１０４において上ボタンがオンの状態にないと判定した場合（ステップＳ１０４：ＮＯ）、制御部１０は、十字キー１７ｂの操作状態を検出し、十字キー１７ｂの左右ボタンがオンの状態にあるか否かを判定する（ステップＳ１０８）。左右ボタンがオンの状態にあると判定した場合（ステップＳ１０８：ＹＥＳ）、制御部１０は選択されている項目に係る調整対象の調整に係る処理を実行する（ステップＳ１０９）。例えば、画像の明度、色相、彩度等の調整に係る処理を実行する。
【００４８】
ステップＳ１０９の処理を終えた場合、又はステップＳ１０８において左右ボタンがオンの状態にないと判定した場合（ステップＳ１０８：ＮＯ）、制御部１０は、メニュー画像２の項目選択に係るサブルーチンの処理を終える。
【００４９】
なお、特許請求の範囲に記載の判定手段は、制御部１０により実現される。特に実施の形態１にあっては、ステップＳ１０１の処理及びステップＳ１０５の処理により、制御部１０は、項目列部分に隣する項目の方向を判断する。
【００５０】
このように構成される画像表示装置１の動作を説明する。図６は、項目列部分の変更過程を示す模式図である。図６（ａ）は、第１項目列部分２０ａを含むメニュー画像２の一例である。第１項目列部分２０ａは、「Ｃｏｎｔｒａｓｔ」、「Ｂｒｉｇｈｔ」、「Ｃｏｌｏｒ」、「Ｔｉｎｔ」、「Ｒｅｄ」、「Ｇｒｅｅｎ」、及び「Ｂｌｕｅ」の項目から構成されており、「Ｂｌｕｅ」の項目が選択されている。また、第１項目列部分２０ａの両端側には、「Ｐｉｃｔｕｒｅ  Ｍｏｄｅ」、「Ｒｅｓｅｔ」、「Ｓｉｇｎａｌ  Ｔｙｐｅ」の固定項目が表示されている。
【００５１】
図６（ａ）の状態で、十字キー１７ｂの左右ボタンが操作された場合、ステップＳ１０８及びステップＳ１０９の処理により、青の階調が調整される。また、十字キー１７ｂの下ボタンが操作された場合、ステップＳ１０２の処理により、図６（ｂ）に示すように項目は上方向にスクロールする。そして、図６（ｃ）に示すように第２項目列部分２０ｂを含むメニュー画像２が表示される。第２項目列部分２０ｂは、「Ｂｌｕｅ」、「Ｓｈａｒｐ」、「Ｂｒｉｇｈｔ  Ｂｏｏｓｔ」、「Ｐｒｏｇｒｅｓｓｉｖｅ」、「ＣＬＲ  Ｔｅｍｐ」、「Ｃ．Ｍ．Ｓ．Ａｄｊｕｓｔｍｅｎｔ」、「ＤＮＲ」の項目から構成されている。
【００５２】
同様にして、図６（ｃ）の状態で、「Ｂｌｕｅ」の項目列を選択し、十字キー１７ｂの上ボタンが操作された場合、ステップＳ１０６の処理により、項目は下方向にスクロールし、第１項目列部分２０ａを含むメニュー画像２が表示される。
【００５３】
本発明にあっては、十字キー１７ｂの上下ボタンの操作により、メニュー画像２に表示される第１項目列部分２０ａ及び第２項目列部分２０ｂを相互に変更することができる。項目の変更は２段階であるため、１項目毎に項目をスクロールさせて変更する場合に生ずる項目の見逃しの恐れはなく、容易に所要の項目を特定し、選択することができる。
【００５４】
また、下矢印２１及び上矢印２２を表示することにより、未表示の項目が隣する方向を示すことができる。
【００５５】
なお、本実施の形態にあっては、液晶パネルを備える空間光変調部を適用しているが、ＤＭＤ（Ｄｉｇｉｔａｌ  Ｍｉｃｒｏｍｉｒｒｏｒ  Ｄｅｖｉｃｅ）を備える空間光変調部を適用しても良い。ＤＭＤを備える空間光変調部を適用した場合、ＤＭＤは、合成部から出力されたデータに係る画像の各ドットに対応付けられた微小ミラー（Ｍｉｃｒｏｍｉｒｒｏｒ）の反射角を切り換え、光源からの光を反射させることにより、変調光、即ち反射光を投射光学系へ入射する。
【００５６】
また、複数の項目を垂直方向に配列したメニュー画像を表示するように構成しているが、複数の項目を水平方向に配列したメニュー画像を表示するように構成しても良い。
【００５７】
更に、画像表示装置は、項目列を記憶する第１メモリ及びメニュー画像を記憶する第２メモリを備えているが、１つの揮発性メモリにより項目列及びメニュー画像を記憶するように構成しても良い。
【００５８】
更にまた、１３の項目を配列した項目列から第１項目列部分又は第２項目列部分を抽出しているが、１３未満又は１４以上の項目を配列した項目列から項目列部分を抽出するように構成しても良い。
【００５９】
更にまた、項目列から第１項目列部分及び第２項目列部分を抽出し、２段階で項目列部分を変更するように構成しているが、３段階又は４段階以上で項目列部分を変更するように構成しても良い。
【００６０】
更にまた、画像表示装置の一例としてプロジェクタを示したが、これに限らず、画像を表示する機能を有するパーソナルコンピュータ、ＤＶＤプレーヤ、ＰＤＡ（Ｐｅｒｓｏｎａｌ  Ｄｉｇｉｔａｌ  Ａｓｓｉｓｔａｎｔｓ）等の機器に適用しても良い。
【図面の簡単な説明】
【００６１】
【図１】本発明に係る画像表示装置を模式的に示すブロック図である。
【図２】画像表示装置が表示するメニュー画像を作成するための項目列及び固定項目を示す模式図である。
【図３】画像表示装置が表示するメニュー画像の模式図である。
【図４】メニュー画像の表示に係る制御部の処理手順を示すフローチャートである。
【図５】メニュー画像の項目選択に係るサブルーチンの処理手順を示すフローチャートである。
【図６】項目列部分の変更過程を示す模式図である。
【符号の説明】
【００６２】
１  画像表示装置
２  メニュー画像
１０  制御部
１０ａ  ＲＯＭ
１０ｂ  ＲＡＭ
１１  入力部
１２  画像処理部
１２ａ  メニュー画像作成部
１２ｂ  第１メモリ
１２ｃ  第２メモリ
１２ｄ  第３メモリ
１２ｅ  合成部
１３  空間光変調部
１４  光源
１５  集光光学系
１６  投射光学系
１７ａ  メニューボタン
１７ｂ  十字キー
１７ｃ  決定ボタン
１７ｄ  キャンセルボタン
１７ｅ  電源スイッチ
２０  項目列
２０ａ  第１項目列部分
２０ｂ  第２項目列部分
２１  下矢印
２２  上矢印
２３  カーソル
【図１】
2006099470.tif 000003
【図２】
2006099470.tif 000004
【図３】
2006099470.tif 000005
【図４】
2006099470.tif 000006
【図５】
2006099470.tif 000007
【図６】
2006099470.tif 000008